(57)【要約】【課題】冷房時に結露が発生しない上下羽根を備えた安価な空気調和機の提供。【解決手段】送風ファン６から吹き出す空気の上下方向の向きを変更する上下羽根８と左右方向の向きを変更する左右羽根１３とを備えた空気調和機において、上下羽根は、略水平位置まで回転した時の上流端縁８ｂが送風路１０の底面の吹出口７より上に位置するように配設するとともに、前記上流端位置に送風路の底面を平行移動したと想定した仮想平面Ｄを設定し、前記左右羽根１３は、前記送風路の底面に対峙する左右羽根下面が前記仮想平面より底面側に飛び出さない位置に配設した構成としてある。これにより、風は左右羽根によって流れが乱されること無く上下羽根の下面に沿って流れ、上下羽根に結露が発生しない。よって、上下羽根に断熱による結露対策を行う必要が無く、安価な空気調和機を提供できる。【選択図】図１
2014122750.tif 000002
【特許請求の範囲】
【請求項１】
熱交換器を具備した本体と、前記熱交換器で熱交換された空気を吹き出す送風ファンと、前記送風ファンの下流に設けた吹出口と、天井面と底面と両側壁から構成され、前記送風ファンと前記吹出口とを連通する送風路と、前記送風ファンから吹き出された空気の上下方向の向きを変更する上下羽根と、前記空気の左右方向の向きを変更する複数枚の左右羽根とを備えた空気調和機の室内機において、前記上下羽根は、前記送風路に回動支持され、略水平位置まで回転した時の上流端が前記送風路の底面の吹出口より上に位置するように配設するとともに、前記上流端位置に前記送風路の底面を平行移動したと想定した仮想平面を設定し、前記左右羽根は、前記送風路に回動支持され、前記送風路の底面に対峙する左右羽根下面が前記仮想平面より前記底面側に飛び出さない位置に配設したことを特徴とする空気調和機。
【発明の詳細な説明】
【技術分野】
【０００１】
本発明は、室内機に、吹出口から吹き出される空気の向きを変更する風向変更羽根を設け、風向変更羽根を制御して空調運転を行う空気調和機に関する。
【背景技術】
【０００２】
一般に空気調和機には、室内機の吹出口から吹き出される空気の向きを変更する風向変更羽根が設けられており、風向変更羽根は、吹出口から吹き出される空気の向きを上下に変更する上下羽根と、吹出口から吹き出される空気の向きを左右に変更する左右羽根とで構成されている。
【０００３】
上下羽根は、通常１枚の羽根で構成され、空気調和機の停止時には吹出口を上下羽根で覆い、空気調和機の運転時には吹出口を開き、吹出口から吹き出される空気の向きを上下に変更している。左右羽根は複数の左右羽根が連結桟に回動可能に固定された左方向用と右方向の２対からなっており、左右羽根の方向を変えることにより吹き出される空気の左右の向きを変更することが出来る。
【０００４】
このように上記上下・左右の羽根によって吹出口からの空気の向きを変えるのであるが、上記上下羽根には冷房運転時に結露を生じるため断熱処理が施してある（例えば、特許文献１参照）。
【０００５】
すなわち、図３は特許文献１に記載されている空気調和機の吹出口部分を示し、冷房運転時は気流を天井に向けて吹出すことにより居室内ができるだけ均一な温度となるようにする必要があり、そのため、上下羽根５１は吹出グリル５２の底面５２ａの先端部近傍に上下羽根５１の前縁５１ａを配置し、上下羽根５１が略水平になるになるように角度を設定している。
この時、空気は矢印ａとｂのように流れるが、ａが主流でｂは上下羽根５１と吹出グリル５２の底面５２ａとの隙間が小さいためほとんど流れない。その結果、上下羽根５１の上面５１ｂは冷やされるが下面５１ｃは温度が高いため下面５１ｃに結露が生じる。そのため、この特許文献１では上下羽根５１はその上面に樹脂板材５３を取り付けて断熱層５４を形成し、結露を防止するようになっている。
【先行技術文献】
【特許文献】
【０００６】
【特許文献１】特開２００９−１４２８９号公報
【発明の概要】
【発明が解決しようとする課題】
【０００７】
しかしながら、前記従来の構成では、断熱層を形成するため二つの部品を接合し中空部を設けているため、材料費、接合工数が必要となりコストが増大する。
【０００８】
本発明は、従来技術の有するこのような問題点に鑑みてなしたものであり、上下羽根と左右羽根の位置関係を最適にすることにより結露の発生しない上下羽根を備えた安価な空気調和機を提供することを目的としている。
【課題を解決するための手段】
【０００９】
上記目的を達成するために、本発明は、熱交換器を具備した本体と、前記熱交換器で熱交換された空気を吹き出す送風ファンと、前記送風ファンの下流に設けた吹出口と、天井
面と底面と両側壁から構成され、前記送風ファンと前記吹出口とを連通する送風路と、前記送風ファンから吹き出された空気の上下方向の向きを変更する上下羽根と、前記空気の左右方向の向きを変更する複数枚の左右羽根とを備えた空気調和機の室内機において、前記上下羽根は、前記送風路に回動支持され、略水平位置まで回転した時の上流端が前記送風路の底面の吹出口より上に位置するように配設するとともに、前記上流端位置に前記送風路の底面を平行移動したと想定した仮想平面を設定し、前記左右羽根は、前記送風路に回動支持され、前記送風路の底面に対峙する左右羽根下面が前記仮想平面より前記底面側に飛び出さない位置に配設した構成としてある。
【００１０】
これにより、上下羽根に結露が発生することはなくなる。すなわち、送風ファンによって吹き出される風が、左右羽根によって方向を変え上下羽根の上流端縁に衝突すると、上下羽根の下面に沿って流れる風に乱れが起こり、上下羽根から風が剥離し結露が生じるが、左右羽根の下面と送風路の底面の距離を上下羽根の上流短縁と送風路の底面の距離を同じ寸法に取ることにより、風は左右羽根によって流れが乱されること無く上下羽根の下面に沿って流れ、上下羽根の下面温度も低くなるので、上下羽根に結露が発生しないのである。
【発明の効果】
【００１１】
本発明によれば、上下羽根に結露が発生しないので、上下羽根に断熱材を貼り付けたり、構造を中空にするため上下羽根を２重構造にするなどの断熱による結露対策を行う必要がなく、部品点数と工数の削減及び構成の簡素化により大幅なコストダウンが可能となり、安価な空気調和機を提供することができる。
【図面の簡単な説明】
【００１２】
【図１】本発明の実施の形態１に係る空気調和機の室内機の横断面図
【図２】同実施の形態１に係る空気調和機と比較する上下羽根と左右羽根部分の空気の流れを示す横断面図
【図３】従来の空気調和機の吹出口部分の横断面図
【発明を実施するための形態】
【００１３】
第１の発明は、熱交換器を具備した本体と、前記熱交換器で熱交換された空気を吹き出す送風ファンと、前記送風ファンの下流に設けた吹出口と、天井面と底面と両側壁から構成され、前記送風ファンと前記吹出口とを連通する送風路と、前記送風ファンから吹き出された空気の上下方向の向きを変更する上下羽根と、前記空気の左右方向の向きを変更する複数枚の左右羽根とを備えた空気調和機の室内機において、前記上下羽根は、前記送風路に回動支持され、略水平位置まで回転した時の上流端が前記送風路の底面の吹出口より上に位置するように配設するとともに、前記上流端位置に前記送風路の底面を平行移動したと想定した仮想平面を設定し、前記左右羽根は、前記送風路に回動支持され、前記送風路の底面に対峙する左右羽根下面が前記仮想平面より前記底面側に飛び出さない位置に配設した構成としてある。
【００１４】
これにより、通常送風ファンによって吹き出される風が、左右羽根によって方向を変え上下羽根の上流端縁に衝突すると、上下羽根の下面に沿って流れる風に乱れが起こり、上下羽根から風が剥離し結露が生じるが、左右羽根の下面と送風路の底面の距離を上下羽根の上流短縁と送風路の底面の距離と同じ寸法に取ることにより、風は左右羽根によって流れが乱されること無く上下羽根の下面に沿って流れ、上下羽根の下面温度も低くなるので、上下羽根に結露は発生しない。よって、上下羽根に断熱材を貼り付けたり、構造を中空にするため上下羽根を２重構造にするなどの断熱による結露対策を行う必要がなく、部品点数と工数の削減及び構成の簡素化により大幅なコストダウンが可能となり、安価な空気調和機を提供することができる。
【００１５】
以下、本発明の実施の形態について図面を参照しながら説明する。なお、この実施の形態によって本発明が限定されるものではない。
【００１６】
（実施の形態１）
図１は本発明の実施の形態１に係る空気調和機の室内機を示し、この室内機１は、壁に取り付けるための台枠２と前面グリル３と前面グリル３に取り付けた前面パネル４で外装と筐体を構成している。
【００１７】
上記室内機１の内部には、上面開口部３ａ及び前面開口部３ｂから取り入れる室内空気と熱交換する熱交換器５、熱交換器で熱交換した空気を室内に吹き出すための送風ファン６、熱交換した空気を室内に吹き出す吹出口７、吹出口７を開閉するとともに空気の吹き出し方向を上下に変更する上下羽根８、上面開口部３ａ及び前面開口部３ｂから取り入れる室内空気から塵埃等を除去するためのフィルタ１１が設けてある。
【００１８】
ここで、上記上下羽根８は吹出グリル９の両側壁９ｃに回動支持された回転軸１２ａを回転中心として回転し、空気の吹き出し方向を上下に変更することが出来る。この上下羽根８は図１の２点鎖線で示す位置が閉じた状態であり、空気調和機が運転を開始すると矢印Ａの方向に回転して開く。
【００１９】
１０は送風ファン６と吹出口７とを連通する送風路で、送風ファン６の下流に設けた吹出口７と、天井面９ａと底面９ｂと両側壁９ｃからなる吹出グリル９とで形成してある。
【００２０】
１３は複数枚が連結桟１２で連結した左右羽根で、吹出グリル９の天井面９ａに設けた軸９ｄに取り付けてあり、空気の吹き出し方向を左右に変更することが出来る。
【００２１】
空気調和機が運転を開始すると、上下羽根８が開制御されて吹出口７を開放し、送風ファン６が駆動されることで、室内空気は前面開口部３ｂ及び上面開口部３ａを介して室内機１の内部に取り入れる。取り入れた室内空気は熱交換器５で熱交換を行い、送風ファン６を通過して、送風ファン６の下流側に形成した送風路１０を通過し吹出口７より吹き出される。
【００２２】
上下羽根８は、水平状態の時その上流端縁８ｂの垂直方向の位置は吹出グリル９の底面９ｂの先端より高い位置に配置され、左右羽根１３の下面１３ａは、吹出グリル９の底面９ｂと略平行であり上下羽根８の上流端縁８ｂを基点に底面９ｂと平行に引いた仮想平面線Ｄより底面９ｂ側に飛び出さないように設定してある。このことにより空気は矢印Ｂ、Ｃの様に流れ上下羽根８の上面８ｃ、下面８ｄを剥離することなく流れるようになるから、上面８ｃ、下面８ｄの温度差がなくなり、結露が生じることがなくなる。
【００２３】
ここで、左右羽根１３の下面１３ａを仮想平面線Ｄより飛び出させない理由について図２を用いて説明する。
【００２４】
図２は左右羽根１３の下面１３ａを仮想平面線Ｄより飛び出させた場合を示している。
【００２５】
この時の空気の流れは矢印Ｂ，Ｃ，Ｅで表される。矢印Ｅは左右羽根１３を通過する空気である。左右羽根１３の下面１３ａが仮想平面線Ｄから飛び出しているため、矢印ＣとＥでは空気の速度が若干変わるが、空気が正面に吹き出している時は問題は生じない。しかしながら、左右羽根１３が右あるいは左に角度変更されると、矢印Ｃの空気はそのまま正面に吹き出すが、矢印Ｅの空気は傾いた左右羽根１３が抵抗となり流れが乱れ、また矢印Ｃの空気とも速度が変わるため乱れを生じる。すなわち、矢印Ｅの空気は左右羽根１３
が正面に向いていた時は、上下羽根８の下面８ｄに密着して流れていたものが、左右羽根１３が右あるいは左に角度変更されると、下面８ｄから剥離して流れるようになって吹き出された空気の温度より高い居室の空気を巻き込み下面８ｄに結露が発生するようになる。
【００２６】
よって、左右羽根１３の下面１３ａは仮想平面線Ｄより飛び出させないようにしてあり、これにより左右羽根１３の影響を受けなくなるので矢印Ｅの空気の流れは生ぜず、矢印Ｃの空気は上下羽根８の下面８ｄより剥離せず流れ結露の発生を防止できるのである。
【産業上の利用可能性】
【００２７】
本発明に係わる空気調和機は、上下羽根と左右羽根を最適な位置に配置することにより上下羽根の結露を防止することができ、その結果、上下羽根に断熱による結露対策を行う必要がなくなって、部品点数と工数の削減及び構成の簡素化による大幅なコストダウンが可能となり、安価で快適な冷房運転を行う空気調和機を提供することができる。
【符号の説明】
【００２８】
１  室内機
５  熱交換器
６  送風ファン
７  吹出口
８  上下羽根
８ｂ  上流端縁
８ｃ  上面
８ｄ  下面
９  吹出グリル
９ａ  天井面
９ｂ  底面
９ｃ  両側壁
９ｄ  軸
１０  送風路
１１  フィルタ
１２  連結桟
１２ａ  回転軸
１３  左右羽根
１３ａ  下面
【図１】
2014122750.tif 000003
【図２】
2014122750.tif 000004
【図３】
2014122750.tif 000005